(57)【要約】　　　（修正有）【課題】生産のコストを低減させ、作業効率を向上させ、さらに好ましくは安全性及び美観に優れた締付用バンドを提供する。【解決手段】複数の部材を圧着させるための締付用バンド１０であって、細長形状の金属製部材１０Ａを備え、金属製部材１０Ａの一端部には、フック状に突設された複数の係止片１１と、長手方向に延びる長孔１２と、作業工具挿入用の第１作業孔１３とが設けられ、金属製部材１０Ａの他端部には、一端部が当該他端部に対向するように配置された状態において、係止片１１に対応する位置にある複数の係止孔１７と、長孔１２に対応する位置にある作業工具挿入用の第２作業孔１６とが設けられている。さらに好ましくは、金属製部材１０Ａの一端部は、他端部に対して外方に対向配置され、一端部に設けられた係止片１１は、内方に向けて突設されている。【選択図】　　図３
0003099583.tif 000002
【実用新案登録請求の範囲】
【請求項１】
複数の部材を圧着させるための締付用バンドであって、
細長形状の金属製部材を備え、
前記金属製部材の一端部には、フック状に突設された複数の係止片と、長手方向に延びる長孔と、作業工具挿入用の第１作業孔とが設けられ、
前記金属製部材の他端部には、前記一端部が当該他端部に対向するように配置された状態において、前記係止片に対応する位置にある複数の係止片と、前記長孔に対応する位置にある作業工具挿入用の第２作業孔とが設けられていることを特徴とする締付用バンド。
【請求項２】
前記金属製部材の前記一端部は、前記他端部に対して外方に対向配置され、
前記一端部に設けられた係止片は、内方に向けて突設されていることを特徴とする請求項１に記載の締付用バンド。
【考案の詳細な説明】
【０００１】
【考案の属する技術分野】
本考案は、部材間の圧着結合に用いられる締付用バンドに関し、特に、その構造を改良することにより生産コストを低減させると共に、締め付け作業の効率を向上させた締付用バンドに関する。
【０００２】
【従来の技術】
従来、空気呼吸器には、図１に示すように、呼吸器本体１を構成する顔面を覆うように着用されるゴム製の面体２と、プラスチック成形体からなる呼吸器部３とを締め付けて、気密下で圧着結合させるために、金属製の締付用バンド４が用いられている。なお、符号７は空気供給装置連結部を示す。
【０００３】
従来の締付用バンド４は、締付用バンド４本体の両端を締結するためのクリップ５と、締付用バンド４本体を介してクリップ５と対向する位置に配置されるワッシャ６とを備えている。面体２と呼吸器３とを圧着結合する際には、先ず専用工具を使って締付用バンド４本体の両端を引き延ばしながら折り曲げた後、締付用バンド４本体の両端部を締結するようにクリップ５を締付用バンド４本体の両端部の外方に組み立てる一方、ワッシャ６を締付用バンド４本体の両端部の内方に配置し、クリップ専用機械でクリップ５を締めることにより、気密下での圧着結合が実現される。
【０００４】
【考案が解決しようとする課題】
前記従来の締付用バンド４による圧着結合には、締付用バンド４本体以外に、クリップ５やワッシャ６の付属部品も必要であるため、生産コストが高くなり、又、締付用バンド４を締結するための専用工具が必要であるため、作業の効率が悪くなるという第１の課題がある。
【０００５】
また、クリップ５が外方へ突出した構造になっているため、例えば、呼吸器に適用した場合に、呼吸器の使用者はクリップ５を接触することにより皮膚が損傷される恐れがあるというような安全性についての第２の課題もある。
【０００６】
【課題を解決するための手段】
前記第１の課題を解決するために、本考案は、請求項１に記載の如く、複数の部材を圧着させるための締付用バンドであって、細長形状の金属製部材を備え、前記金属製部材の一端部には、フック状に突設された複数の係止片と、長手方向に延びる長孔と、作業工具挿入用の第１作業孔とが設けられ、前記金属製部材の他端部には、前記一端部が当該他端部に対向するように配置された状態において、前記係止片に対応する位置にある複数の係止孔と、前記長孔に対応する位置にある作業工具挿入用の第２作業孔とが設けられている締付用バンドを提供するものである。
【０００７】
請求項１に係る考案によれば、締付用バンドが細長形状の金属製部材を備え、前記金属製部材の一端部には、フック状に突設された複数の係止片が設けられる一方、他端部には、前記一端部が当該他端部に対向するように配置された状態において、前記係止片に対応する位置にある複数の係止孔が設けられている。従って、本考案に係る締付用バンドによって複数の部材を圧着するには、前記複数の部材の圧着すべき部位に対して、前記金属製部材の両端部が対向するまで当該金属製部材を巻き付け、前記複数の係止孔の何れかに前記複数の係止片の何れかを嵌め込み係止させればよい。以上のように、請求項１に係る考案によれば、従来のような付属部品を必要とせず、単一の金属製部材によって締付用バンドを構成し、複数の部材を圧着させることができるため、生産コストを低減することが可能である。
【０００８】
また、請求項１に係る考案によれば、金属製部材の一端部に作業工具挿入用の第１作業孔が設けられていると共に、金属製部材の一端部が他端部に対向するように配置された状態において、金属製部材の一端部に設けられた長孔に対応する位置の他端部に作業工具挿入用の第２作業孔が設けられている。従って、本考案に係る締付用バンドによって複数の部材を圧着する際には、前記第１作業孔に作業工具を差し込む一方、前記長孔を介して前記第２作業孔にも作業工具を差し込み、締め付け方向に引張力を加えればよい。前記作業工具としては、第１作業孔及び第２作業孔に差し込むことのできる寸法の先端部を有する限りにおいて一般的な作業工具を利用できるため、従来のような専用工具が不要であり、作業の効率を高めることが可能である。
【０００９】
さらに、前記第２の課題を解決するべく、本考案は、請求項２に記載の如く、前記金属製部材の前記一端部は、前記他端部に対して外方に対向配置され、前記一端部に設けられた係止片は、内方に向けて突設されている。
【００１０】
請求項２に係る考案によれば、前記係止孔に前記係止片を嵌め込み係止させる際に、前記係止片が内方に向けて突設されているため、従来のように外方に突出する部分によって使用者の安全性が損なわれることもなく、さらに美観性が向上されるという利点も得られる。
【００１１】
【考案の実施の形態】
以下、図３〜図６に基づいて本考案の実施形態について説明する。
本実施形態の締付用バンド１０は、図３の斜視図に示すように、細長形状の金属製部材１０Ａを備えている。金属製部材１０Ａの一端部には、フック状に突設された複数の係止片１１と、長手方向に延びる長孔１２と、作業工具挿入用の第１作業孔１３とが設けられている。一方、金属製部材１０Ａの他端部には、図３に示すように、前記一端部が当該他端部に対向するように配置された状態において、係止片１１に対応する位置にある複数の係止孔１７と、長孔１２に対応する位置にある作業工具挿入用の第２作業孔１６とが設けられている。さらに、本実施形態の締付用バンド１０は、金属製部材１０Ａの両端部を安定して結合させるために、アーチ状に突設されたガイド部１４が金属製部材１０Ａの一端部に設けられ、ガイド部１４より小さい幅を有する案内端部１５が金属製部材１０Ａの他端部に設けられている。以上のような、締付用バンド１０は、単一体構造となっており、従来のような付属品は不要であるため、生産コストを低減させることができる。
【００１２】
なお、使用時の安全性と美観性に配慮して、本実施形態の締付用バンド１０は、図６に示すように、金属製部材１０Ａの一端部（図６の下側）は、他端部（図６の上側）に対して外方に対向配置されており、係止片１１は内方に向けて突設されている。
【００１３】
図４は本実施形態の締付用バンド１０によって呼吸器の面体２０と呼吸器部２１とが圧着結合されている状態を示している。以下、図４に示す圧着結合を実現する締付用バンド１０の締め付け方法について説明する。
【００１４】
先ず、締付用バンド１０を呼吸器の面体２０と呼吸器部２１との圧着結合する部位に配置し、図５に示すように金属製部材１０Ａの一端部が他端部に対して外方に対向配置されるまで金属製部材１０Ａを巻き付ける。そして、作業者の手で係止片１１を図６に示す係止孔１７の内、部位ａの孔に嵌め込むことにより金属製部材１０Ａを緩く仮係止させる。仮係止させることによって、案内端部１５はガイド部１４に沿って案内され、金属製部材１０Ａの両端部が密着することになるため、安定した締結位置を得ることができる。
【００１５】
このような緩い仮係止状態において、第１作業孔１３に作業工具を差し込む一方、長孔１２を介して第２作業孔１６にも作業工具を差し込み、締め付け方向に引張力を加える。これにより、係止孔１７の内、部位ａの孔に嵌められた係止片１１が部位ａの孔から脱けた後、部位ｂの孔に嵌め込まれる。このようにして、締付用バンド１０を固く締め付け、面体２０と呼吸器２１（図４）とを圧着結合することができる。なお、作業工具としては、第１作業孔１３及び第２作業孔１６に差し込むことのできる寸法の先端を有する限りにおいて一般的な作業工具を利用できる。従って、作業員の手と一般な作業工具で、締付用バンドを簡単に締め付けることができるので、作業の効率を高めることができる。
【００１６】
なお、本実施形態の締付用バンド１０は、空気呼吸器の面体２０と呼吸器部２１との圧着結合に用いる場合を例示して説明したが、複数の部材を締め付けて気密下に圧着結合させる種々の用途に適用可能である。
【００１７】
【考案の効果】
以上に説明したように、本考案に係る締付用バンドは、従来のような付属部品を必要とせず、単一の金属製部材によって締付用バンドを構成し、複数の部材を圧着させることができるため、生産コストを低減することが可能である。
【００１８】
また、一般的な作業工具を利用できるため、従来のような専用工具が不要であり、締め付け作業の効率を高めることが可能である。
【図面の簡単な説明】
【図１】従来の締付用バンドを適用した呼吸器を示す斜視図である。
【図２】従来の締付用バンドが締結された状態を示す断面図である。
【図３】本考案に係る締付用バンドの構成を示す斜視図である。
【図４】本考案に係る締付用バンドを適用した呼吸器を示す斜視図である。
【図５】本考案に係る締付用バンドが締結された状態を示す断面図である。
【図６】本考案に係る締付用バンドの締結部位を拡大した状態を示す断面図である。
【符号の説明】
１０　締付用バンド
１０Ａ　金属製部材
１１　係止片
１２　長孔
１３　第１作業孔
１４　ガイド部
１５　案内端部
１６　第２作業孔
１７　係止孔
【図１】
0003099583.tif 000003
【図２】
0003099583.tif 000004
【図３】
0003099583.tif 000005
【図４】
0003099583.tif 000006
【図５】
0003099583.tif 000007
【図６】
0003099583.tif 000008